(57)【要約】 【課題】本発明は、中圧ガスホルダーから利用設備等へ供給される精製ガスの量が増減するとともに、前記中圧ガスホルダーに貯蔵された精製ガスを都市ガスが要求する所定の組成と濃度に調整することにより得られたガスである成分調整ガスを都市ガス導管へ導く場合にも、バイオガス利用システム内の利用設備等で利用される精製ガスの所定流量と所定の最低圧力を確保することが可能なバイオガス利用システムにおける成分調整ガスの都市ガス導管への注入量制御方法及び装置を提供することにある。【解決手段】圧力計４で測定された圧力と予め求められた貯蔵された精製ガスの圧力と成分調整ガスの都市ガス導管２８へ注入可能な注入量との関係より、前記成分調整ガスの都市ガス導管２８への注入量を注入量調整手段により増減させる注入量制御工程を有している。【選択図】図１
2013249404.tif 000002
【特許請求の範囲】
【請求項１】
バイオガス中から少なくとも硫黄系不純物を分離し、高濃度なメタンガスを精製するためのバイオガス精製装置と、このバイオガス精製装置で得られた精製ガスを貯蔵する中圧ガスホルダーと、この中圧ガスホルダーに貯蔵された精製ガスが供給され利用される所定の利用設備と、前記中圧ガスホルダーに貯蔵された精製ガスを都市ガスが要求する所定の組成と濃度に調整するための成分調整手段と、この成分調整手段により所定の組成と濃度に調整されたガス（以下、「成分調整ガス」という）を都市ガス導管へ導くための配管と、を備えたバイオガス利用システムにおける成分調整ガスの都市ガス導管への注入量制御方法であって、
前記中圧ガスホルダーに貯蔵された精製ガス（以下、「貯蔵された精製ガス」という）の圧力を測定するための圧力計と、前記配管の途中経路または前記成分調整手段に注入量調整手段とをさらに備え、
（１）前記所定の利用設備で利用される前記精製ガスの所定流量と所定の最低圧力を確保するために、前記圧力計で測定した前記貯蔵された精製ガスの圧力と前記成分調整ガスの前記都市ガス導管へ注入可能な注入量との関係を予め求めておく工程と、
（２）前記所定の利用設備に前記精製ガスを供給する際に、前記貯蔵された精製ガスの圧力を前記圧力計で測定し、この測定された圧力と前記（１）で求められた前記貯蔵された精製ガスの圧力と前記成分調整ガスの前記都市ガス導管へ注入可能な注入量との関係より、前記成分調整ガスの前記都市ガス導管への注入量を前記注入量調整手段により増減させる注入量制御工程と、
を有したことを特徴とするバイオガス利用システムにおける成分調整ガスの都市ガス導管への注入量制御方法。
【請求項２】
バイオガス中から少なくとも硫黄系不純物を分離し、高濃度なメタンガスを精製するためのバイオガス精製装置と、このバイオガス精製装置で得られた精製ガスを貯蔵する中圧ガスホルダーと、この中圧ガスホルダーに貯蔵された精製ガスが供給され利用される所定の利用設備と、前記中圧ガスホルダーに貯蔵された精製ガスを都市ガスが要求する所定の組成と濃度に調整するための成分調整手段と、この成分調整手段により所定の組成と濃度に調整されたガス（以下、「成分調整ガス」という）を都市ガス導管へ導くための配管と、を備えたバイオガス利用システムにおける成分調整ガスの都市ガス導管への注入量制御装置であって、
前記中圧ガスホルダーに貯蔵された精製ガス（以下、「貯蔵された精製ガス」という）の圧力を測定するための圧力計と、前記配管の途中経路または前記成分調整手段に注入量調整手段とを備え、
（１）前記所定の利用設備で利用される前記精製ガスの所定流量と所定の最低圧力を確保するために、前記圧力計で測定した前記貯蔵された精製ガスの圧力と前記成分調整ガスの前記都市ガス導管へ注入可能な注入量との関係を予め求めたデータが格納された記憶部と、
（２）前記所定の利用設備に前記精製ガスを供給する際に、前記貯蔵された精製ガスの圧力を前記圧力計で測定し、この測定された圧力と前記記憶部に格納された前記データとの関係より、前記注入量調整手段で前記成分調整ガスの前記都市ガス導管へ注入可能な注入量を算出するための注入量算出部と、
を有したことを特徴とするバイオガス利用システムにおける成分調整ガスの都市ガス導管への注入量制御装置。
【発明の詳細な説明】
【技術分野】
【０００１】
本発明は、バイオガス利用システムにおける成分調整ガスの都市ガス導管への注入量制御方法及び装置に関する。ここで「バイオガス」とは、バイオマス（動植物に由来する有機物であってエネルギー源として利用することができるものであり、原油、天然ガス、可燃性天然ガス及び石炭並びにこれらから製造される製品を除くもの）から発生するまたは由来する可燃性ガスを言う。
【背景技術】
【０００２】
下水汚泥や生ごみといった有機性廃棄物や食品工場排水などの有機性排水等のバイオマスをメタン発酵させることにより得られるバイオガスが、新しいエネルギーとして注目されている。このメタン発酵処理され、発生したバイオガスは通常「消化ガス」と呼ばれ、この消化ガス中から少なくとも硫黄系不純物を分離精製した精製ガスを中圧ガスホルダーに貯蔵した後、この精製ガスを各種設備で利用するバイオガス利用システムが知られている（例えば、特許文献１参照）。
【０００３】
この特許文献１に開示された技術では、中圧ガスホルダーに貯蔵された精製ガスがガスタービンに供給されるとともに、その他の諸利用設備へも送給されるように構成されている。
【先行技術文献】
【特許文献】
【０００４】
【特許文献１】特開２００３−８３０８５号公報
【発明の概要】
【発明が解決しようとする課題】
【０００５】
しかし、上記特許文献１に記載された発明において、中圧ガスホルダーから諸利用設備としてのガス用品に供給するために、中圧ガスホルダーに貯蔵された精製ガスを都市ガスが要求する所定の組成と濃度に調整することにより得られたガスである成分調整ガスを都市ガス導管へ注入しようとする場合、低圧ガスホルダーの貯留量に従ってガス圧縮機を制御するとともに、ガスを圧縮して供給する必要があるガスタービンやその他の諸利用設備（以下、「利用設備等」という）で消費される（中圧ガスホルダーから供給する）精製ガスの量が例えば日中のように一定の時間帯に増加するにもかかわらず成分調整ガスの都市ガス導管への注入量を一定に制御していると、以下のような問題が生ずる。
（１）中圧ガスホルダーに貯蔵された精製ガスの圧力（以下、「貯蔵された精製ガスの圧力」という）が次第に低下し、前記利用設備等で利用される前記精製ガスの所定の最低圧力が確保できなくなる時間帯が発生するといった問題点を有していた。
（２）また、上述した前記精製ガスの所定の最低圧力が確保できなくなる時間帯が発生するばかりか、翌朝必要な所定の貯蔵された精製ガスの圧力が確保できなくなる場合が発生するといった問題点も有していた。
【０００６】
本発明の目的は、中圧ガスホルダーから利用設備等へ供給される精製ガスの量が増減するとともに、前記中圧ガスホルダーに貯蔵された精製ガスを都市ガスが要求する所定の組成と濃度に調整することにより得られたガスである成分調整ガスを都市ガス導管へ導く場合にも、バイオガス利用システム内の利用設備等で利用される精製ガスの所定流量と所定の最低圧力を確保することが可能なバイオガス利用システムにおける成分調整ガスの都市ガス導管への注入量制御方法及び装置を提供することにある。
【課題を解決するための手段】
【０００７】
この目的を達成するために、本発明の請求項１に記載の発明は、
バイオガス中から少なくとも硫黄系不純物を分離し、高濃度なメタンガスを精製するためのバイオガス精製装置と、このバイオガス精製装置で得られた精製ガスを貯蔵する中圧ガスホルダーと、この中圧ガスホルダーに貯蔵された精製ガスが供給され利用される所定の利用設備と、前記中圧ガスホルダーに貯蔵された精製ガスを都市ガスが要求する所定の組成と濃度に調整するための成分調整手段と、この成分調整手段により所定の組成と濃度に調整されたガス（以下、「成分調整ガス」という）を都市ガス導管へ導くための配管と、を備えたバイオガス利用システムにおける成分調整ガスの都市ガス導管への注入量制御方法であって、
前記中圧ガスホルダーに貯蔵された精製ガス（以下、「貯蔵された精製ガス」という）の圧力を測定するための圧力計と、前記配管の途中経路または前記成分調整手段に注入量調整手段とをさらに備え、
（１）前記所定の利用設備で利用される前記精製ガスの所定流量と所定の最低圧力を確保するために、前記圧力計で測定した前記貯蔵された精製ガスの圧力と前記成分調整ガスの前記都市ガス導管へ注入可能な注入量との関係を予め求めておく工程と、
（２）前記所定の利用設備に前記精製ガスを供給する際に、前記貯蔵された精製ガスの圧力を前記圧力計で測定し、この測定された圧力と前記（１）で求められた前記貯蔵された精製ガスの圧力と前記成分調整ガスの前記都市ガス導管へ注入可能な注入量との関係より、前記成分調整ガスの前記都市ガス導管への注入量を前記注入量調整手段により増減させる注入量制御工程と、
を有したことを特徴とするバイオガス利用システムにおける成分調整ガスの都市ガス導管への注入量制御方法である。
【０００８】
また、本発明の請求項２に記載の発明は、
バイオガス中から少なくとも硫黄系不純物を分離し、高濃度なメタンガスを精製するためのバイオガス精製装置と、このバイオガス精製装置で得られた精製ガスを貯蔵する中圧ガスホルダーと、この中圧ガスホルダーに貯蔵された精製ガスが供給され利用される所定の利用設備と、前記中圧ガスホルダーに貯蔵された精製ガスを都市ガスが要求する所定の組成と濃度に調整するための成分調整手段と、この成分調整手段により所定の組成と濃度に調整されたガス（以下、「成分調整ガス」という）を都市ガス導管へ導くための配管と、を備えたバイオガス利用システムにおける成分調整ガスの都市ガス導管への注入量制御装置であって、
前記中圧ガスホルダーに貯蔵された精製ガス（以下、「貯蔵された精製ガス」という）の圧力を測定するための圧力計と、前記配管の途中経路または前記成分調整手段に注入量調整手段とを備え、
（１）前記所定の利用設備で利用される前記精製ガスの所定流量と所定の最低圧力を確保するために、前記圧力計で測定した前記貯蔵された精製ガスの圧力と前記成分調整ガスの前記都市ガス導管へ注入可能な注入量との関係を予め求めたデータが格納された記憶部と、
（２）前記所定の利用設備に前記精製ガスを供給する際に、前記貯蔵された精製ガスの圧力を前記圧力計で測定し、この測定された圧力と前記記憶部に格納された前記データとの関係より、前記注入量調整手段で前記成分調整ガスの前記都市ガス導管へ注入可能な注入量を算出するための注入量算出部と、
を有したことを特徴とするバイオガス利用システムにおける成分調整ガスの都市ガス導管への注入量制御装置である。
【発明の効果】
【０００９】
以上のように、本発明に係るバイオガス利用システムにおける成分調整ガスの都市ガス導管への注入量制御方法によれば、
バイオガス中から少なくとも硫黄系不純物を分離し、高濃度なメタンガスを精製するためのバイオガス精製装置と、このバイオガス精製装置で得られた精製ガスを貯蔵する中圧ガスホルダーと、この中圧ガスホルダーに貯蔵された精製ガスが供給され利用される所定の利用設備と、前記中圧ガスホルダーに貯蔵された精製ガスを都市ガスが要求する所定の組成と濃度に調整するための成分調整手段と、この成分調整手段により所定の組成と濃度に調整されたガス（以下、「成分調整ガス」という）を都市ガス導管へ導くための配管と、を備えたバイオガス利用システムにおける成分調整ガスの都市ガス導管への注入量制御方法であって、
前記中圧ガスホルダーに貯蔵された精製ガス（以下、「貯蔵された精製ガス」という）の圧力を測定するための圧力計と、前記配管の途中経路または前記成分調整手段に注入量調整手段とをさらに備え、
（１）前記所定の利用設備で利用される前記精製ガスの所定流量と所定の最低圧力を確保するために、前記圧力計で測定した前記貯蔵された精製ガスの圧力と前記成分調整ガスの前記都市ガス導管へ注入可能な注入量との関係を予め求めておく工程と、
（２）前記所定の利用設備に前記精製ガスを供給する際に、前記貯蔵された精製ガスの圧力を前記圧力計で測定し、この測定された圧力と前記（１）で求められた前記貯蔵された精製ガスの圧力と前記成分調整ガスの前記都市ガス導管へ注入可能な注入量との関係より、前記成分調整ガスの前記都市ガス導管への注入量を前記注入量調整手段により増減させる注入量制御工程と、を有しているため、
中圧ガスホルダーから利用設備等へ供給される精製ガスの量が増減するとともに、前記中圧ガスホルダーに貯蔵された精製ガスを都市ガスが要求する所定の組成と濃度に調整することにより得られたガスである成分調整ガスを都市ガス導管へ導く場合にも、バイオガス利用システム内の利用設備等で利用される精製ガスの所定流量と所定の最低圧力を確保することが可能なバイオガス利用システムにおける成分調整ガスの都市ガス導管への注入量制御方法を実現できる。
【００１０】
また、本発明に係るバイオガス利用システムにおける成分調整ガスの都市ガス導管への注入量制御装置によれば、
バイオガス中から少なくとも硫黄系不純物を分離し、高濃度なメタンガスを精製するためのバイオガス精製装置と、このバイオガス精製装置で得られた精製ガスを貯蔵する中圧ガスホルダーと、この中圧ガスホルダーに貯蔵された精製ガスが供給され利用される所定の利用設備と、前記中圧ガスホルダーに貯蔵された精製ガスを都市ガスが要求する所定の組成と濃度に調整するための成分調整手段と、この成分調整手段により所定の組成と濃度に調整されたガス（以下、「成分調整ガス」という）を都市ガス導管へ導くための配管と、を備えたバイオガス利用システムにおける成分調整ガスの都市ガス導管への注入量制御装置であって、
前記中圧ガスホルダーに貯蔵された精製ガス（以下、「貯蔵された精製ガス」という）の圧力を測定するための圧力計と、前記配管の途中経路または前記成分調整手段に注入量調整手段とを備え、
（１）前記所定の利用設備で利用される前記精製ガスの所定流量と所定の最低圧力を確保するために、前記圧力計で測定した前記貯蔵された精製ガスの圧力と前記成分調整ガスの前記都市ガス導管へ注入可能な注入量との関係を予め求めたデータが格納された記憶部と、
（２）前記所定の利用設備に前記精製ガスを供給する際に、前記貯蔵された精製ガスの圧力を前記圧力計で測定し、この測定された圧力と前記記憶部に格納された前記データとの関係より、前記注入量調整手段で前記成分調整ガスの前記都市ガス導管へ注入可能な注入量を算出するための注入量算出部と、を有しているため、
中圧ガスホルダーから利用設備等へ供給される精製ガスの量が増減するとともに、前記中圧ガスホルダーに貯蔵された精製ガスを都市ガスが要求する所定の組成と濃度に調整することにより得られたガスである成分調整ガスを都市ガス導管へ導く場合にも、バイオガス利用システム内の利用設備等で利用される精製ガスの所定流量と所定の最低圧力を確保することが可能なバイオガス利用システムにおける成分調整ガスの都市ガス導管への注入量制御装置を実現できる。
【図面の簡単な説明】
【００１１】
【図１】本発明に係る注入量制御装置を含むバイオガス利用システムの一実施の形態の全体構成を模式的に説明する説明図である。
【図２】本発明に係る、中圧ガスホルダーに貯蔵された精製ガスの圧力と成分調整ガスの都市ガス導管へ注入可能な注入量との関係を予め求めたデータの一例を説明する図である。
【図３】本発明に係る、成分調整ガスの都市ガス導管への注入量制御方法を用いた場合の、所定の利用設備で利用される精製ガスの流量と中圧ガスホルダーの圧力の推移の一例を説明する図である。
【図４】成分調整ガスの都市ガス導管への注入量を一定に制御した場合の、所定の利用設備で利用される精製ガスの流量と中圧ガスホルダーの圧力の推移の一例を説明する図である。
【図５】成分調整ガスの都市ガス導管への注入量を一定に制御し、且つ、設定値を誤った場合の、所定の利用設備で利用される精製ガスの流量と中圧ガスホルダーの圧力の推移の一例を説明する図である。
【発明を実施するための形態】
【００１２】
以下、本発明の一実施の形態について、添付図面を参照しながら説明する。図１は本発明に係る注入量制御装置を含むバイオガス利用システムの一実施の形態の全体構成を模式的に説明する説明図である。
【００１３】
図１において、１は下水汚泥や生ごみといった有機性廃棄物や食品工場排水などの有機性排水等のバイオマスをメタン発酵させるための消化タンク、２は消化タンク１から発生した消化ガス中から硫黄系不純物と二酸化炭素を分離し、高濃度なメタンガスを精製するためのバイオガス精製装置、３はバイオガス精製装置２で精製された精製ガスが供給され約０．４〜０．９ＭＰａＧの範囲の圧力で貯蔵するための中圧ガスホルダー、４は中圧ガスホルダー３内の精製ガスの圧力を計測するための圧力計、５は利用設備としてのＣＮＧ車へのガス充填設備（図示せず。例えば、所定の最低圧力＝０．５ＭＰａＧ）に精製ガスを供給するために精製ガスに付臭剤（ＴＨＴ）を用いて付臭するための付臭装置、６は減圧弁、７は付臭剤（ＴＨＴ）を用いて付臭された精製ガスが減圧弁６で所定圧力に減圧され供給される利用設備としての消化タンク１の加温用ボイラーである。
【００１４】
また、図１において、１０は精製ガスを都市ガスが要求する所定基準値未満の二酸化炭素濃度（例えば、０．５容量％）まで低減させるための二酸化炭素除去器、１１は二酸化炭素除去器１０で所定値まで二酸化炭素濃度が低減された精製ガスの流量を計測するための流量計、１２は流量計１１で流量が計測された精製ガスの酸素濃度を測定するための酸素計｛例えば、ガスクロマトグラフ（型式：ＧＣ−２０Ｂ−３Ｓ、株式会社島津製作所製）｝、１３は水素供給手段としての水電解式高純度水素酸素発生装置｛株式会社神鋼環境ソリューション製の水電解式高純度水素酸素発生装置（商品名：ＨＨＯＧ）｝、１４は水電解式高純度水素酸素発生装置１３から供給される水素（Ｈ２）の流量を計測するための流量計、１５は流量制御装置、１６は流量調整弁である。ここで、水素量調整手段は、流量制御装置１５と流量調整弁１６から構成される。
【００１５】
また、図１において、２０はパラジウム（Ｐｄ）触媒が充填された酸素除去触媒塔、２１は酸素除去触媒塔２０で酸素が除去された精製ガスの触媒反応熱を取り去るためのガス冷却器、２２はガス冷却器２１で冷却された精製ガス中の水分を除去するための除湿器、２３は除湿器２２で水分が除去された精製ガスに付臭剤（ＴＢＭ＋ＤＭＳ）を用いて都市ガスとしての付臭を行なうための付臭装置、２４は付臭装置２３で付臭された精製ガスの流量を計測するための流量計、２５は流量計２４で流量が計測された精製ガスの流量を調整するための流量調整弁、２６は遮断弁、２７は減圧弁、２８は都市ガス導管である。
【００１６】
また、図１において、３０は精製ガスに高カロリーガスであるＬＰＧを供給して熱量を調整するための熱量調整装置、３１は熱量調整装置３０から出たＬＰＧの流量を計測するための流量計、３２は流量制御装置、３３は流量調整弁である。
【００１７】
また、図１において、４０は都市ガス導管２８へ供給する精製ガスの酸素濃度を測定するための酸素計｛例えば、ガスクロマトグラフ（型式：ＧＣ−２０Ｂ−３Ｓ、株式会社島津製作所製）｝、４１は都市ガス導管２８へ供給する精製ガスのその他の成分濃度を測定するための分析計、６０は流量制御装置である。
【００１８】
また、図１において、中圧ガスホルダー３に貯蔵された精製ガスを都市ガスが要求する所定成分の組成と濃度に調整するための成分調整手段は、二酸化炭素除去器１０、流量計１１、酸素計１２、水電解式高純度水素酸素発生装置１３、流量計１４、流量制御装置１５、流量調整弁１６、酸素除去触媒塔２０、ガス冷却器２１、除湿器２２、付臭装置２３、熱量調整装置３０、流量計３１、流量制御装置３２、流量調整弁３３、酸素計４０と分析計４１から構成される。また、上記成分調整手段により所定の組成と濃度に調整されたガス（成分調整ガス）を都市ガス導管２８へ導くための配管２９が、付臭装置２３から都市ガス導管２８の間に設置されている。また、７０は圧力計４と二酸化炭素除去器１０との間の配管、７５は流量計１１と酸素除去触媒塔２０との間の配管、８０は除湿器２２と付臭装置２３との間の配管、８５は付臭装置２３と流量計２４との間の配管である。さらに、流量計２４と遮断弁２６の間の配管２９に設置された流量調整弁２５と流量制御装置６０により注入量調整手段が構成されている。このように、図１では注入量調整手段を配管２９の途中経路に備えた例について示したが、必ずしもこれに限定されるものではなく、上記成分調整手段の配管７０から配管８５の間に備えた構成とすることも可能である。
【００１９】
また、バイオガス中から少なくとも硫黄系不純物を分離し、高濃度なメタンガスを精製するためのバイオガス精製装置２と、このバイオガス精製装置２で得られた精製ガスを貯蔵する中圧ガスホルダー３と、この中圧ガスホルダー３に貯蔵された精製ガスが供給され利用される所定の利用設備（例えば、上述したＣＮＧ車）と、中圧ガスホルダー３に貯蔵された精製ガスを都市ガスが要求する所定の組成と濃度に調整するための上述した成分調整手段と、成分調整ガスを都市ガス導管２８へ導くための配管２９と、を備えたバイオガス利用システムにおける成分調整ガスの都市ガス導管２８への注入量制御装置は、
圧力計４と、配管２９の途中経路または上記成分調整手段に上述した注入量調整手段とを備え、
（１）前記所定の利用設備で利用される前記精製ガスの所定流量と所定の最低圧力を確保するために、圧力計４で測定した前記貯蔵された精製ガスの圧力と前記成分調整ガスの都市ガス導管２８へ注入可能な注入量との関係を予め求めたデータが格納された流量制御装置６０内に設けられた記憶部（図示せず）と、
（２）前記所定の利用設備に前記精製ガスを供給する際に、前記貯蔵された精製ガスの圧力を圧力計４で測定し、この測定された圧力と前記記憶部に格納された前記データとの関係より、前記注入量調整手段で前記成分調整ガスの都市ガス導管２８へ注入可能な注入量を算出するための流量制御装置６０内に設けられた注入量算出部（図示せず）と、
を有しているため、
中圧ガスホルダー３から前記所定の利用設備等へ供給される精製ガスの量が増減するとともに、前記中圧ガスホルダー３に貯蔵された精製ガスを都市ガスが要求する所定の組成と濃度に調整することにより得られたガスである成分調整ガスを都市ガス導管２８へ導く場合にも、バイオガス利用システム内の前記所定の利用設備等で利用される精製ガスの所定流量と所定の最低圧力を確保することが可能なバイオガス利用システムにおける成分調整ガスの都市ガス導管２８への注入量制御装置を実現できる。
【００２０】
なお、前記記憶部と前記注入量算出部は、流量制御装置６０内にそれぞれ設けられた例について説明したが、必ずしもこれに限定されるものではない。前記記憶部と前記注入量算出部は、流量制御装置６０外に別設されていても構わない。前記記憶部と前記注入量算出部は、少なくとも注入量制御装置内にありさえすればよい。
【００２１】
以下に、本発明の作用効果を検証するための試験（発明例）および比較試験（比較例１、比較例２）を実施した結果について述べる。
【００２２】
最初に、１日を通してのバイオガス精製装置２で精製され得られる精製ガスの流量、所定の利用設備等（例えば、ＣＮＧ車へ所定ガスを供給するためのガス充填設備）で利用される増減する精製ガスの流量を把握した。
【００２３】
次に、上記所定の利用設備等で利用される精製ガスの所定流量と所定の最低圧力を確保するために必要な中圧ガスホルダー３に貯蔵された精製ガスの（圧力計４で測定した）圧力と上述した成分調整ガスの都市ガス導管２８へ注入可能な注入量との関係を予め求め（図２参照）、この図２に示すデータを記憶部へ格納した。
【００２４】
次に、図３に示すような、バイオガス精製装置２で得られた精製ガスの流量（符号ア）と上記所定の利用設備等で利用される精製ガスの流量（符号ウ）である場合に、中圧ガスホルダー３に貯蔵された精製ガスの圧力を圧力計４で測定し、この測定された圧力（符号エ）と上記記憶部に格納されたデータとの関係より、都市ガス導管２８へ注入可能な上述した成分調整ガスの流量（符号イ）を上記注入量算出部で算出し、この算出したガス流量（符号イ）になるように、上記注入量調整手段で上述した成分調整ガスの流量を制御した（図３参照、発明例）。このように、中圧ガスホルダー３から所定の利用設備等へ供給される精製ガスの量が増減するとともに、前記中圧ガスホルダー３に貯蔵された精製ガスを都市ガスが要求する所定の組成と濃度に調整することにより得られたガスである成分調整ガスを都市ガス導管２８へ導く場合にも、バイオガス利用システム内の所定の利用設備等で利用される精製ガスの増減する所定流量（符号ウ参照）と所定の最低圧力（例えば、０．５ＭＰａＧ）以上を確保することが可能なバイオガス利用システムにおける成分調整ガスの都市ガス導管２８への注入量制御装置を実現できることが分かる。
【００２５】
次に、図４において、図３に示すバイオガス精製装置２で得られた精製ガスの流量と同じ精製ガスの流量（符号ア）が得られ、かつ、本発明のような注入量制御装置を有さず、上述した成分調整ガスを都市ガス導管２８へ日量時間平均一律（例えば、８０ｍ３Ｎ）の流量（符号イ）を供給した（図４参照、比較例１）。このような場合に、上記所定の利用設備等で利用される精製ガスの流量と同じ精製ガスの流量（符号ウ）を利用すると、１８時頃に、圧力計４で測定した中圧ガスホルダー３に貯蔵された精製ガスの圧力（符号エ）が０．４９ＭＰａＧとなってしまい、所定の最低圧力である０．５ＭＰａＧを確保できなくなってしまうため、所定の最低圧力以上へ回復するまで一時的に所定の利用設備等で精製ガスを利用することができない（図４参照、比較例１）。
【００２６】
また、図５において、図３に示すバイオガス精製装置２で得られた精製ガスの流量と同じ精製ガスの流量（符号ア）が得られ、かつ、本発明のような注入量制御装置を有さず、かつ、誤操作により上述した成分調整ガスを都市ガス導管２８へ日量時間平均一律（例えば、１００ｍ３Ｎ）の流量（符号イ）を供給してしまった（図５参照、比較例２）。このような場合に、上記所定の利用設備等で利用される精製ガスの流量と同じ精製ガスの流量（符号ウ）を利用すると、１６時前頃から１８時過ぎ頃の間において、圧力計４で測定した中圧ガスホルダー３に貯蔵された精製ガスの圧力（符号エ）が所定の最低圧力である０．５ＭＰａＧを確保できず一時的に所定の利用設備等で精製ガスを利用できなくなってしまうばかりか、翌朝の朝８時には、圧力計４で測定した中圧ガスホルダー３に貯蔵された精製ガスの圧力（符号エ）が約０．６５ＭＰａＧまでしか回復せず、８時から再び図３に示す上記所定の利用設備等で利用される精製ガスの流量（符号ウ）を供給することが出来なくなってしまう（図５参照、比較例２）。
【００２７】
なお、本実施の形態においては、二酸化炭素除去器１０、流量計１１、酸素計１２、水電解式高純度水素酸素発生装置１３、流量計１４、流量制御装置１５、流量調整弁１６、酸素除去触媒塔２０、ガス冷却器２１、除湿器２２、付臭装置２３、熱量調整装置３０、流量計３１、流量制御装置３２、流量調整弁３３、酸素計４０と分析計４１から構成された成分調整手段の例について説明したが、必ずしもこれに限定されるものではなく、様々な形態の成分調整手段を用いることが可能である。
【００２８】
また、本実施の形態においては、都市ガス導管２８への注入量調整手段を配管２９の途中経路に備えた構成とし、予め求めた中圧ガスホルダー３の圧力と都市ガス導管２８へ注入可能な成分調整ガスの流量との関係を用いて成分調整ガスの流量を増減させる例について説明したが、必ずしもこれに限定されるものではなく、例えば、都市ガス導管２８への注入量調整手段を配管７０の途中経路に備えた構成とし、予め求めた中圧ガスホルダー３の圧力と都市ガス導管２８へ注入可能な成分調整ガスの流量との関係から、さらに、中圧ガスホルダー３の圧力と成分調整前の精製ガスの流量との関係を求め、成分調整前の精製ガスの流量を増減させることによって成分調整ガスの都市ガス導管２８への注入量を増減させることも可能である。
【００２９】
また、本実施の形態においては、所定の利用設備等として、ＣＮＧ車へ所定ガスを供給するためのガス充填設備を例に説明したが、必ずしもこれに限定されるものではなく、バイオガス利用システムにおける様々な所定の利用設備を用いることが可能である。このバイオガス利用システム内の様々な所定の利用設備等で利用される精製ガスの増減する所定流量と所定の最低圧力を確保するために、本願発明の技術思想を適用することができる。
【符号の説明】
【００３０】
１  消化タンク
２  バイオガス精製装置
３  中圧ガスホルダー
４  圧力計
５  付臭装置
６  減圧弁
７  加温用ボイラー
１０  二酸化炭素除去器
１１  流量計
１２  酸素計
１３  水電解式高純度水素酸素発生装置
１４  流量計
１５  流量制御装置
１６  流量調整弁
２０  酸素除去触媒塔
２１  ガス冷却器
２２  除湿器
２３  付臭装置
２４  流量計
２５  流量調整弁
２６  遮断弁
２７  減圧弁
２８  都市ガス導管
２９、７０、７５、８０、８５  配管
３０  熱量調整装置
３１  流量計
３２  流量制御装置
３３  流量調整弁
４０  酸素計
４１  分析計
６０  流量制御装置
【図１】
2013249404.tif 000003
【図２】
2013249404.tif 000004
【図３】
2013249404.tif 000005
【図４】
2013249404.tif 000006
【図５】
2013249404.tif 000007